(57)【要約】  【課題】容器もしくは吐出ヘッドの形状、重量或は操作方式に拘らず操作を容易にするように、購入後或は使用の都度、周面に沿った位置から側方へ突出させ得る指掛け部を備えた指掛け付吐出ヘッドを提供する。  【解決手段】吐出ヘッドは、エアゾール容器１９の頭部から突出するバルブステムに連通する流路部を内部に備えてその先端部を吐出口とする吐出ヘッド本体と、この吐出ヘッド本体を包囲した状態でエアゾール容器１９の上端部に装着される吐出ヘッド基部してのカバー体１０とを備える。吐出ヘッド本体の吐出操作により、バルブステムが押下げ駆動されて可撓性のチューブ２２から内容物を吐出する。カバー体１０の周面部における吐出操作時の指の把持姿勢に対応する位置に、周面部に沿った位置から側方へ突出する使用位置に回動させ得るように、基端部を周面部に枢着したプレート状の指掛け部１８，１８ａが形成されている。  【選択図】図１
2005126090.tif 000002
【特許請求の範囲】
【請求項１】
容器頭部から突出する吐出パイプに連通する流路部を内部に備えてその先端部を吐出口とする吐出ヘッド本体と、この吐出ヘッド本体を包囲した状態で容器上端部に装着される吐出ヘッド基部とを備え、吐出ヘッド本体の吐出操作により、吐出パイプが押下げ駆動されて吐出口から内容物を吐出するようになった吐出ヘッドにおいて、
吐出ヘッド基部の周面部における吐出操作時の指の把持姿勢に対応する位置に、前記周面部に沿った位置から側方へ突出する使用位置に回動させ得るように、基端部を前記周面部に枢着したプレート状の指掛け部を形成したことを特徴とする指掛け付吐出ヘッド。
【請求項２】
吐出パイプが、エアゾール容器の上端部に装着されたマウンティングカップから突出するバルブステムであり、吐出ヘッド基部が、前記バルブステムに基端部で嵌着した吐出ヘッド本体を包囲するように、前記エアゾール容器上端部に取付けられたカバー体であることを特徴とする請求項１記載の指掛け付吐出ヘッド。
【請求項３】
吐出ヘッド基部が、ポンプを保持し、かつこのポンプを作動させる吐出パイプを昇降可能にガイドして容器の口部に装着されるキャップであり、吐出ヘッド本体が、側方へ突出するノズルを備え、かつ押下げ操作されるように前記吐出パイプの上端に取付けられる操作ボタンであることを特徴とする請求項１記載の指掛け付吐出ヘッド。
【請求項４】
吐出口が前方へ吐出を行うと共に、１個の指掛け部が後方へ向けて突出することを特徴とする請求項１乃至請求項３のいずれか記載の指掛け付吐出ヘッド。
【請求項５】
吐出口が前方へ吐出を行うと共に、２個の指掛け部が左右へ向けて突出することを特徴とする請求項１乃至請求項３のいずれか記載の指掛け付吐出ヘッド。
【発明の詳細な説明】
【技術分野】
【０００１】
本発明は、容器頭部から突出する吐出パイプに連通する流路部を内部に備えてその先端部を吐出口とする吐出ヘッド本体と、この吐出ヘッド本体を包囲した状態で容器上端部に装着される吐出ヘッド基部とを備え、吐出ヘッド本体の吐出操作により、吐出パイプが押下げ駆動されて吐出口から内容物を吐出するようになった吐出ヘッドに関するものである。
【背景技術】
【０００２】
吐出操作を行う吐出ヘッド本体の周囲に、吐出ヘッド基部が設けられた吐出ヘッドを容器上端部に備えたエアゾール容器又はポンプ付容器は種々周知であるが、吐出操作に際して容器上端部或は吐出ヘッド基部を手で握って操作するのが通常である。
【発明の開示】
【発明が解決しようとする課題】
【０００３】
しかしながら、吐出ヘッド基部或は容器の直径が大きくなったり、その容積が大きくなって重量が増す場合に手が小さい程操作しにくくなる問題がある。また、操作ボタンが口部から操作ストロークに対応して上方へ離れるポンプ式の場合にも、人差指が短いと押下げ操作がしにくくなる問題がある。
【０００４】
本発明は、このような点に鑑みて、容器もしくは吐出ヘッドの形状、重量或は操作方式に拘らず操作を容易にするように、購入後或は使用の都度、周面に沿った位置から側方へ突出させ得る指掛け部を備えた指掛け付吐出ヘッドを提供することを目的とする。
【課題を解決するための手段】
【０００５】
本発明は、この目的を達成するために、請求項１により、容器頭部から突出する吐出パイプに連通する流路部を内部に備えてその先端部を吐出口とする吐出ヘッド本体と、この吐出ヘッド本体を包囲した状態で容器上端部に装着される吐出ヘッド基部とを備え、吐出ヘッド本体の吐出操作により、吐出パイプが押下げ駆動されて吐出口から内容物を吐出するようになった吐出ヘッドにおいて、吐出ヘッド基部の周面部における吐出操作時の指の把持姿勢に対応する位置に、周面部に沿った位置から側方へ突出する使用位置に回動させ得るように、基端部を周面部に枢着したプレート状の指掛け部を形成したことを特徴とする。
【０００６】
操作指以外の指の把持姿勢に対応する位置で、指掛け部が指に載置されて吐出ヘッド付容器が支持される。エアゾール容器用吐出ヘッドの場合、請求項２により、吐出パイプが、エアゾール容器の上端部に装着されたマウンティングカップから突出するバルブステムであり、吐出ヘッド基部が、バルブステムに基端部で嵌着した吐出ヘッド本体を包囲するように、エアゾール容器上端部に取付けられたカバー体である。ポンプ付き容器の場合、請求項３により、吐出ヘッド基部が、ポンプを保持し、かつこのポンプを作動させる吐出パイプを昇降可能にガイドして容器の口部に装着されるキャップであり、吐出ヘッド本体が、側方へ突出するノズルを備え、かつ押下げ操作されるように吐出パイプの上端に取付けられる操作ボタンである。指掛け部の個数は、請求項４により、吐出口が前方へ吐出を行うと共に、１個の指掛け部が後方へ向けて突出するか、或は請求項５により、吐出口が前方へ吐出を行うと共に、２個の指掛け部が左右へ向けて突出する。
【発明の効果】
【０００７】
請求項１の発明によれば、指掛け部で吐出ヘッドを操作指に適合した位置の指に載置できるために、吐出ヘッド基部もしくは容器上端部分の外径が大きくなったり、内容物の量が多くなって重い場合、握り部分から操作位置までの距離が長くなる場合であっても、操作が容易になる。請求項２又は請求項３の発明により、この指掛け部は汎用のエアゾール容器或はポンプ吐出容器に適用される。請求項４の発明によれば、特に使用者側に向けて吐出する際に操作し易くなる。請求項５の発明によれば、人差指で押下げ操作により吐出する際に操作し易くなる。特に大重量に対して有利である。
【発明を実施するための最良の形態】
【０００８】
図１乃至図３を基に本発明の実施の形態によるエアゾール容器用長尺ノズル型の指掛け付吐出ヘッドを説明する。この吐出ヘッドは、エアゾール容器１９の上端開口部に巻締め部２ａで装着されたマウンティングカップ２から突出するバルブステム３に嵌着する吐出ヘッド本体としての操作ボタン２０と、巻締め部２ａに基端部で外係合して、容器肩部１９ａ、マウンティングカップ２及び操作ボタン２０を包囲すると共に、この操作ボタンを中心部で昇降可能にガイドするカバー体１０と、操作ボタン２０の吐出口２１に接続する可撓性のチューブ２２及びカバー体１０の周面のソケット２３のピン２４で基端部が枢支されてチューブ２２を挿通させるチューブ支持アーム２５で構成される長尺ノズル２９とを備える。
【０００９】
カバー体１０は、エアゾール容器１９と略同一の外径を有し、その中心部から後方領域には、操作ボタン２０を吐出操作可能にするように、上方へ向けて開放される開口部１７が形成されている。カバー体１０の周面のソケット２３の下方には、支持アーム２５を不使用時に格納するための挟持片２６が突設されている。
【００１０】
本発明により、カバー体１０の長尺ノズル２９に対して両側へ９０°回転して互いに対向する領域の周面部には、プレート状の指掛け部１８，１８ａを収納する凹部１５が形成されている。そのうち指掛け部１８は、図３に示すように、その上端両側から突出するピン部１６が凹部１５の両側の壁部に形成されたピン穴に挿入されて回転可能に枢着されると共に、その両側の側面は凹部１５の壁部に摩擦係合している。また、指掛け部１８ａも指の把持姿勢に応じて相対的に僅かに上方位置に形成された所属の凹部１５に同様な構成で格納されている。
【００１１】
使用に際しては、図１に示すように、先ず凹部１５に格納されている指掛け部１８を細隙１５ｂへ小片を挿入して引出し、上壁部１５ａに拘束させて略水平位置にセットする。さらに、長尺ノズル２９を格納位置から水平前方にセットすると共に、親指を一方の指掛け部１８に掛け、僅かに上方の他方の指掛け部１８ａに中指を掛けて人差指で操作ボタン２０を上方から押下げ操作する。これにより、多量の殺虫剤が金属製の容器１９に充填されて重くなっている場合でも、操作しにくくなることがなくなる。尚、購入後は、指掛け部１８，１８ａは、凹部１５の側壁部に対する摩擦係合により水平位置にそのまま保持させておくことができる。
【００１２】
図４は別の実施の形態による指掛け付のエアゾール用吐出ヘッドを示すもので、バルブステム３に基端部で嵌着する操作ボタン３０を包囲するカバー体が、マウンティングカップ２の巻締め部に下端の突起部３４で外係合して周面部３６によりエアゾール容器３９の肩部からマウンティングカップ２及びその上方を包囲する肩カバー３５として構成されている。その環状の上面部３７は、細隙３７ａを置いて操作ボタン３０の高さ方向の中間位置を包囲している。
【００１３】
指掛け部３８は、操作ボタン３０の吐出口３１に対して両側へ９０°回転して互いに対向する領域の周面部３６が、下端部に細隙３８ｂを置いて長方形状に切欠かれると共に、その上端部にインテグラルヒンジ部３８ａを設けて形成されている。その表面の僅か上方には、略水平位置に回動された指掛け部３８を拘束するためのストッパ部３８ｃが突設されている。重量が大きい場合でも容器を両指で支持して容易に操作できる。
【００１４】
最初の使用に際しては、両側の指掛け部３８を格納位置から引出し、親指及び中指を掛けて人差指で上方から操作ボタン３０を押下げ操作する。使用後に、指を外すと指掛け部３８は弾性復元力により格納位置よりも僅かに突出した斜め下方へ復帰し、以後の指掛けが容易に行われる。
【００１５】
図５及び図６はポンプ付容器を前提にした実施の形態による指掛け付吐出ヘッドを示すもので、例えば石鹸液が充填された容器４９の上端部で外径を段差状に小さくして突出する容器口部に、ポンプを内部に構成させるシリンダ４４を保持し、かつポンプを作動させる吐出パイプ４１を昇降可能にガイドする吐出ヘッド基部としてのねじキャップ４３が螺合されると共に、吐出パイプ４１の上端部に、ノズル４２ａが前方へ向けて突設され、内部に吐出パイプ４１に連通する流路を有する吐出ヘッド本体としての操作ボタン４２が取付けられている。
【００１６】
操作ボタン部４２を押下げ操作すると、吐出パイプ４１が下動することにより吸上げパイプ４４ａから内容液が吸上げられて、ノズル４２ａから吐出される。この種のねじキャップ又は打栓キャップを口部に装着させることにより、吐出パイプの押下げ操作により内容物を吐出させるポンプ自体は種々の構成のものが周知である。
【００１７】
内周面にねじ山４３ｃを有し、上面にシール４３ｂを備えたねじキャップ４３には、本発明により方形状の開口部５０が形成され、対応形状のプレート状の指掛け部５８が嵌入されている。その上端両側からピン部５１が突出され、開口部５０の両側の壁部に形成されたピン穴に挿入されて回転可能に枢着されている。指掛け部５８の自由端部には段差部５７が形成され、開口部５０の下縁部の凹部に係合して出荷段階ではねじキャップ４３に同一面状に格納されている。
【００１８】
使用に際しては、指掛け部５８の下端の容器４９との細隙へ小片を挿入して引出し、図５に示すように、開口部５０の上端縁に拘束させて略水平位置にセットする。ノズル４２ａが指掛け部４８と正反対方向を向いた状態で、指掛け部４８に中指を掛けて人差指で操作ボタン４２を上方から押下げ操作する。重い場合でも、外径が小さくて握りにくいねじキャップ４３の上端で指にポンプ付容器を載置させて、ポンプ動作に必要な昇降ストロークに対応して上方へ位置した操作ボタン４２に対して、余裕を持った把持姿勢で操作することができる。ノズル４２ａは、吐出パイプ４１の回転位置の調整により、吐出方向に応じて指掛け部４８の正反対側でなく、指掛け部４８に対して操作し易い把持姿勢になるように位置関係を適宜調整できる。購入後は、指掛け部５８は、開口部４０の両側への摩擦係合により水平位置にそのまま保持させておくことができる。尚、指掛け部は、ノズル４２ａに対して両側に一対突設することもできる。
【図面の簡単な説明】
【００１９】
【図１】本発明の実施の形態によるエアゾール容器用指掛け付吐出ヘッドの斜視図である。
【図２】同吐出ヘッドの断面図である。
【図３】図２に対して直交方向の指掛け付吐出ヘッドの要部断面図である。
【図４】別の実施の形態によるエアゾール容器用指掛け付吐出ヘッドの部分的に破断した正面図である。
【図５】さらに別の実施の形態によるポンプ付容器用指掛け付吐出ヘッドの使用状態を示す斜視図である。
【図６】図５による吐出ヘッドの指掛け部の要部断面図である。
【符号の説明】
【００２０】
２  マウンティングカップ
３  バルブステム
１０  カバー体
１８，１８ａ，３８，５８  指掛け部
１９，３９  エアゾール容器
２０，３０，４２  操作ボタン
２９  長尺ノズル
４１  吐出パイプ
４３  ねじキャップ
４９  容器
【図１】
2005126090.tif 000003
【図２】
2005126090.tif 000004
【図３】
2005126090.tif 000005
【図４】
2005126090.tif 000006
【図５】
2005126090.tif 000007
【図６】
2005126090.tif 000008